(57)【要約】【課題】  見切材の表面に釘の頭が露出することなく、スラブ床下地に固定釘などの固定具が使用可能であり、外観が良好で、家具などによる集中荷重に強く、規格畳の場合でも畳同士の間に隙間が生じることを防止しきっちりと敷き込むことが可能な見切材および畳周辺部材の施行方法を提供する。【解決手段】  床下地８上に設置された畳１の周辺に、見切材２及び周辺部材３を配設する畳周辺部材の施工の際に用いられる見切材２であって、断面形状が一定な複数の長尺部材が組み合わされてなり、組み合わされた際に畳１及び周辺部材３と略面一な高さとなるとともに、断面形状が長方形となり、施工されたときに、少なくとも一つの上記長尺部材が下地面８ａと平行な面２２ａを有し、他の少なくとも一つの長尺部材が、上記下地面８ａと平行な面２２ａを覆うように構成されてなる。【選択図】  図２
2006241704.tif 000002
【特許請求の範囲】
【請求項１】
床下地上に設置された畳の周辺に、見切材及び周辺部材を配設する畳周辺部材の施工の際に用いられる見切材であって、断面形状が一定な複数の長尺部材が組み合わされてなり、組み合わされた際に畳及び周辺部材と略面一な高さとなるとともに、断面形状が長方形となり、施工されたときに、少なくとも一つの上記長尺部材が下地面と平行な面を有し、他の少なくとも一つの長尺部材が、上記下地面と平行な面を覆うように構成されてなることを特徴とする見切材。
【請求項２】
床下地上に配設された畳の周辺に、請求項１記載の下地面と平行な面を有する長尺部材を位置決めして固定した後に、他の長尺部材をその少なくとも一つが、上記下地面と平行な面を覆うように配設し、次いで周辺部材を配設することを特徴とする畳周辺部材の施工方法。
【発明の詳細な説明】
【技術分野】
【０００１】
本発明は、見切材およびそれを用いた畳周辺部材の施行方法に関する。
【背景技術】
【０００２】
従来、木質床下地やスラブ床下地の上に畳を敷き、畳と同一面で周辺部に遮音フローリングなどの周辺部材が施行される畳周辺部材の施行構造が知られている。例えば、特許文献１には、床見切り材の施工構造が開示され、同一高さレベルに仕上げられた床仕上材の端部間を、床見切材によって施工する施工構造であって、床見切材は、矩形状となされた本体の上端両側部から薄板状に延設された鍔部を有する略逆ハット状の断面形状となされ、床仕上材の端部間に、床見切材の本体部分が差し込まれた状態で、床仕上材の端部表面が、床見切材の鍔部によって覆われるとともに、この鍔部の先端に施された面取部によって床仕上材と床見切材との表面が滑らかに連続されてなる床見切材の施工構造などが開示されている。
【０００３】
しかし、上記のような施工構造の場合、床見切材（以下、単に「見切材」ともいう）は通常床下地材に接着されて用いられるが、例えば図１に示すように、床下地上に設置された畳１，１・・の周辺に、見切材２及び周辺部材３が設置された施工構造において、見切材２の固定がずれると、畳１，１・・同士の間に隙間が生じやすくなるため、見切材２を釘で固定する方法が多用される。したがって、このような場合には、見切材の表面に釘の頭が露出することになり、表面が引っ掛かりやすくなったり外観的に見映えが悪くなるという問題があった。
【０００４】
上記釘の頭が露出する問題を解決するため、見切材の側面から釘を斜めに打ち込む方法もあるが、スラブ床下地の場合には釘の斜め打ちが困難であるという問題もあった。
【０００５】
また、上記釘の頭が露出する問題を解決する方法としては、例えば、特許文献２に記載されているように見切り受け材を用いてこれを固定釘などで固定する方法なども考えられるが、この場合には、見切材の部分において、表面が周囲の高さより高くなる問題や、机の足やその他の家具などによる集中荷重を受けた場合に、見切材の部分が変形する問題が起こりやすくなると共に、変形可能な隙間確保用のスペーサーが設けられているため、上記同様に畳１，１・・同士の間に隙間が生じやすくなるという問題があった。
【０００６】
また、上記畳１，１・・同士の間に隙間が生じることを防止し、規格品で完成した畳（以下、「規格畳」ともいう）をきっちりと敷き込む方法として、例えば、特許文献３には、１〜３辺が固定された部屋に規格品完成畳を入れるに際して、該固定された１〜３辺の既設畳枠に近接して規格品完成畳の畳組セットと同様のサイズの位置決め具を置き、該位置決め具の端部に固定具を所定個数固定し、次いで該位置決め具の１〜３辺以外の辺に新畳枠を固定し、該固定具と新畳枠との間に畳組セットを敷き込む方法であって、該固定具を固定した後のどこかの時点において、該固定具を固定した辺にカバー部材を嵌め込むことを特徴とする畳の敷き込み方法が開示されている。
【０００７】
しかし上記の敷き込み方法の場合、部材点数が多く部材コストが高くなると共に、施工が煩雑になり手間が係るという問題があった。
【０００８】
【特許文献１】特開平１０−２９２６０１号公報
【特許文献２】特開２００２−０７０３０２号公報
【特許文献３】特開２００１−２２７１４４号公報
【発明の開示】
【発明が解決しようとする課題】
【０００９】
本発明の目的は、上記従来の問題点に鑑み、見切材の表面に釘の頭が露出することなく、スラブ床下地に固定釘などの固定具が使用可能であり、外観が良好で、家具などによる集中荷重に強く、規格畳の場合でも畳同士の間に隙間が生じることを防止し、きっちりと敷き込むことが可能な見切材および畳周辺部材の施行方法を提供することにある。
【課題を解決するための手段】
【００１０】
請求項１記載の見切材は、床下地上に設置された畳の周辺に、見切材及び周辺部材を配設する畳周辺部材の施工の際に用いられる見切材であって、断面形状が一定な複数の長尺部材が組み合わされてなり、組み合わされた際に畳及び周辺部材と略面一な高さとなるとともに、断面形状が長方形となり、施工されたときに、少なくとも一つの上記長尺部材が下地面と平行な面を有し、他の少なくとも一つの長尺部材が、上記下地面と平行な面を覆うように構成されてなることを特徴とする。
【００１１】
請求項２記載の畳周辺部材の施工方法は、床下地上に配設された畳の周辺に、請求項１記載の下地面と平行な面を有する長尺部材を位置決めして固定した後に、他の長尺部材をその少なくとも一つが、上記下地面と平行な面を覆うように配設し、次いで周辺部材を配設することを特徴とする。
【００１２】
以下、本発明について図面を参照しつつ詳細に説明する。
図１は本発明に係る見切材および畳周辺部材の施行方法の一例を説明する平面図であり、図２は、図１におけるＡ−Ａ断面図である。
【００１３】
本発明の見切材は、図１及び図２に示すように、床下地８上に設置された畳１の周辺に、見切材２及び周辺部材３を配設する畳周辺部材の施工の際に用いられる見切材２であって、上記見切材２は断面形状が一定な複数の長尺部材として、例えば、上側部材２１と下側部材２２とが組み合わされてなり、組み合わされた際に畳１及び周辺部材３と略面一な高さとなるとともに、断面形状が長方形となり、施工されたときに、上記下側部材２２が下地面８ａと平行な面２２ａを有し、上記上側部材２１が、上記下地面８ａと平行な面２２ａを覆うように構成されてなるものである。
【００１４】
上記下側部材２２が下地面８aと平行な面２２ａを有するので、床下地８上に配設された畳１の周辺に下側部材２２を位置決めし、下地面８ａに略直交する方向に固定釘７などの固定具を打ち込んで固定することができる。また、上記下側部材２２の下面に接着剤を併用すると固定が更に強固になる点で好ましい。上記床下地８がスラブ床下地の場合には、上記効果は顕著に発揮される。
【００１５】
上記見切材２の具体例を図３〜５に固定状態と共に示した。
図３に例示する見切材２は、長方形の下側部材２２が下地面８ａと平行な面２２ａを有し、上側部材２１が、上記下地面８ａと平行な面２２ａを覆うように構成されて、組み合わされた際に断面形状が長方形となるものである。この場合、上側部材２１の片側端部が切り欠かれて平行な面２２ａを覆うようになされているので、下側部材２２の下地面８aと平行な面２２ａの幅を広くとることができ、固定釘や接着剤を用いて下側部材２２の固定がし易くなる点で好ましい。
【００１６】
図４に例示する見切材２は、下面の中央部が切り欠かれた上側部材２１が、長方形の下側部材２２の下地面８ａと平行な面２２ａを覆うように構成されて、組み合わされた際に断面形状が長方形となるものである。この場合、下側部材２２の両側面が外から見えず、外観が向上する点で好ましい。
【００１７】
図５に例示する見切材２は、下側部材２２の上面中央の凹部が下地面８ａと平行な面２２ａを有し、下面中央に凸部を有する上側部材２１が、上記下地面８ａと平行な面２２ａを覆うように構成されて、組み合わされた際に断面形状が長方形となるものである。この場合、下側部材２２の下面の面積が大きくとれるので、下地面と接着する場合の面積が広くとれるため、接着性が向上する点で好ましい。
【００１８】
上記見切材２の材料としては、特に限定されないが、沈み込みの少ない硬質のものが好ましく、通常、ＭＤＦ、ハードボードなどの木質材が好適である。
【００１９】
見切材２の厚みとしては、本発明の効果を損なわない限り特に限定されないが、複数の長尺部材が組み合わされた際の断面形状における長方形の高さが、畳１及び周辺部材３と略面一な高さとなるようになされ、通常１０〜８０ｍｍとされる。また、見切材２の幅としては、特に限定されないが、通常３０〜５０ｍｍとされることが好ましい。
【００２０】
また、上記見切材２の長尺部材における下地面８ａと平行な面２２ａの幅としては、特に限定されないが、釘などの固定具を打ち込むためには、１０〜２５ｍｍであることが好ましい。
【００２１】
上記畳１としては、特に限定されず、例えば、一般的な厚畳や薄畳、若しくは、近年和室以外にも用いられるミニ畳やリビング畳等が挙げられ、厚みとしては、通常１０〜５０ｍｍである。また畳のサイズとしても特に限定されず、一畳サイズや半畳サイズなど特に限定されない。
【００２２】
また、上記畳１としては、重い家具などの重量物を置いた際、畳が局部的に沈下したり、歩き心地が低下することを防止し、また、段差や軋み音の発生を防止するために、沈み込みの生じ難いものが好ましい。
【００２３】
上記畳１の構成としては、特に限定されないが、通常図６に示すように、畳表１１、緩衝材１２、芯材１３、緩衝材１４、裏シート１５がこの順に構成されたものが好適に用いられる。
【００２４】
また、上記において芯材１３が、個々の気泡が厚み方向に配向しているポリオレフィン系樹脂発泡体シートの両面に、前記ポリオレフィン系樹脂発泡性シート原反を加熱発泡する際に生じる面内方向の発泡力を抑制するための面材が積層されてなるポリオレフィン系樹脂複合発泡体であると、圧縮強度に優れたものとなり、畳１の沈み込みが生じ難くなる点で好ましい。このような芯材１３としては、例えば、ゼットロン（商品名、積水化学工業社製）が挙げられる。
【００２５】
上記周辺部材３としては、特に限定されないが、クッション性を有するものであると、遮音性が向上するなどの点で好ましい。クッション性を有する周辺部材３としては、例えば、図２に示すような表面化粧材などからなる表面材４、木質材料や熱可塑性樹脂発泡体などからなる基材５、及びクッション層６などが積層されてなる所謂遮音フローリングなどが挙げられる。
【００２６】
上記遮音フローリングとしては、特に限定されないが、重い家具などの重量物を置いた際、床が局部的に沈下したり、また歩行のたびに浮沈が生じ、歩き心地が低下することを防止し、また、段差や軋み音の発生を防止するために、沈み込みの生じ難いものが好ましい。
【００２７】
上記のような沈み込みの生じ難いものとしては、例えば、基材５として、熱可塑性樹脂よりなる連続発泡層と、連続発泡層の少なくとも片面上に複数配置される熱可塑性樹脂よりなる高発泡体と、高発泡体の外表面を被覆する熱可塑性樹脂よりなる低発泡薄膜とを備え、前記複数の高発泡体が互いに前記低発泡薄膜を介して熱融着された熱可塑性樹脂発泡体が用いられた遮音フローリングが好適である。このような基材５としては、例えば、リバイロＳＰ（商品名、積水化学工業社製）が挙げられる。
【００２８】
上記周辺部材３の厚みとしては、特に限定されないが、１０〜３０ｍｍ程度が好適である。
【００２９】
本発明の畳周辺部材の施工方法は、図１及び図２に示すように、床下地８上に配設された畳１の周辺に、上記のような下地面８ａと平行な面２２ａを有する長尺部材として、例えば、見切材２の下側部材２２を位置決めして固定した後に、上側部材２１を上記下地面８ａと平行な面２２ａを覆うように配設し、次いで周辺部材３を配設することを特徴とする。
【００３０】
上記下側部材２２の位置決めにおいて、畳１と下側部材２２が接する位置より、例えば略１〜５ｍｍ内側（畳側）に移動させて固定すると、畳１同士の間に生じる隙間を防止する効果が向上し、よりきっちりと敷き込むことが可能となる点でで好ましい。
【００３１】
尚、上記上側部材２１の配設時には、通常、接着剤などが用いられて固定される。
【発明の効果】
【００３２】
本発明の見切材は、断面形状が一定な複数の長尺部材が組み合わされてなり、組み合わされた際に畳及び周辺部材と略面一な高さとなるとともに、断面形状が長方形となり、施工されたときに、少なくとも一つの上記長尺部材が下地面と平行な面を有し、他の少なくとも一つの長尺部材が、上記下地面と平行な面を覆うように構成されてなることを特徴とするので、見切材の表面に釘の頭が露出することなく、スラブ床下地に固定釘などの固定具が使用可能であり、外観が良好で、家具などによる集中荷重に強く、規格畳の場合でも畳同士の間に隙間が生じることを防止しきっちりと敷き込むことが可能な見切材を提供することができる。
【００３３】
また、本発明の畳周辺部材の施工方法は、床下地上に配設された畳の周辺に、上記の下地面と平行な面を有する長尺部材を位置決めして固定した後に、他の長尺部材をその少なくとも一つが、上記下地面と平行な面を覆うように配設し、次いで周辺部材を配設することを特徴とするので、上記同様の効果を発揮するとともに、部材点数が少なく施工が簡便な畳周辺部材の施工方法を提供することができる。
【発明を実施するための最良の形態】
【００３４】
以下に、実施例を示すことにより、本発明を具体的に説明する。尚、本発明は下記実施例のみに限定されるものではない。
【００３５】
（実施例１）
図１に示すように、６枚の半畳サイズの畳１，１・・をスラブ床下地８の中央部に仮置きし、その周辺に、図３に示す木質材料からなる見切材２の下側部材２２を位置決めして接着剤及び固定釘７で固定した後に、上側部材２１を上記下側部材２２の下地面８ａと平行な面２２ａを覆うように接着剤を介して配設した。見切材２の断面形状における長方形の高さは１３ｍｍであった。
【００３６】
次いで、周辺部材３，３・・〔表面材４、基材５、クッション層６（厚み２．５ｍｍ）からなる遮音フローリング（厚み１３ｍｍ）〕を、接着剤を用いてスラブ床下地８に固定し、図１及び２に示すように、畳周辺部に敷設した。
【００３７】
上記基材５としては、リバイロＳＰ（商品名、積水化学工業社製）を用いた。
【００３８】
次いで、図６に示すような、畳表１１、緩衝材１２、芯材１３、緩衝材１４、裏シート１５がこの順に構成された６枚の畳１，１・・（厚み１３ｍｍ）を中央部に設置した。
【００３９】
上記畳１の芯材１３としては、ゼットロン（商品名、積水化学工業社製）を用いた。
【００４０】
（実施例２）
見切材２として、図４に示すような、上側部材２１が、長方形の下側部材２２の下地面８ａと平行な面２２ａを覆うように構成されてなるものを用いたこと以外は実施例１と同様にして施工した。
【００４１】
（実施例３）
見切材２として、図５に示すような、下側部材２２の上面中央の凹部が下地面８ａと平行な面２２ａを有し、下面中央に凸部を有する上側部材２１が、上記下地面８ａと平行な面２２ａを覆うように構成されてなるものを用いたこと以外は実施例１と同様にして施工した。
【００４２】
上記実施例１〜３の施工方法を行った結果、スラブ床下地においても、畳同士の間に隙間が生じることなくきっちりと敷き込むことができ、見切材の表面に釘の頭が露出することなく見映えの良い施工を簡便に行うことができた。このため施工時間としては通常５日かかるところ約１日で施工することができた。
【図面の簡単な説明】
【００４３】
【図１】本発明の見切材および畳周辺部材の施行方法の一例を説明する平面図である。
【図２】図１におけるＡ−Ａ断面図である。
【図３】本発明に係る見切材の一例を固定状態と共に示す模式断面図である。
【図４】本発明に係る見切材の他の一例を固定状態と共に示す模式断面図である。
【図５】本発明に係る見切材の更に他の一例を固定状態と共に示す模式断面図である。
【図６】本発明における畳の一例を示す模式断面図である。
【符号の説明】
【００４４】
１  畳
２  見切材
２１  上側部材
２２  下側部材
２２ａ  下地面と平行な面
３  周辺部材
４  表面材
５  基材
６  クッション層
７  固定釘
８  床下地
８ａ  下地面
１１  畳表
１２，１４  緩衝材
１３  芯材
１５  裏シート
【図１】
2006241704.tif 000003
【図２】
2006241704.tif 000004
【図３】
2006241704.tif 000005
【図４】
2006241704.tif 000006
【図５】
2006241704.tif 000007
【図６】
2006241704.tif 000008